(57)【特許請求の範囲】
【請求項１】
シートを搬送する搬送手段と、
前記搬送手段によって搬送されるシートに記録を行う記録手段と、
第１の面に記録が行われたシートの前記第１の面と反対側の第２の面に記録を行うために、前記記録手段によって第１の面に記録が行われたシートを案内し、表裏を反転させて前記搬送手段に案内する両面搬送パスと、
ディスク状記録媒体を保持する保持部材を収納する保持部材収納部と、
前記搬送手段によって前記保持部材を搬送するために、前記保持部材を前記搬送手段によって搬送可能な位置に移動させる移動手段と、
前記搬送手段によって搬送されている第１の面に記録が行われたシートを前記両面搬送パスに案内する案内位置と、シートを前記両面搬送パスに案内しない位置とに移動可能な案内面と、を有し、
前記案内面は前記移動手段によって前記保持部材を移動させることによって移動する記録装置。
【請求項２】
前記案内面は前記保持部材に形成されている請求項１に記載の記録装置。
【請求項３】
前記案内面は揺動可能な案内部材に形成され、前記案内部材は前記両面搬送パスから前記搬送手段にシートを案内する第１の位置と、前記案内面を案内位置に位置させる第２の位置とに移動可能であり、前記案内部材は前記移動手段によって移動する前記保持部材と当接して前記第１の位置から前記第２の位置に移動する請求項１に記載の記録装置。
【請求項４】
シートと当接して揺動するセンサレバーを備えたシート検知手段を有し、前記案内面を前記案内位置に移動させるために前記保持部材が移動したことによって前記センサレバーはシートと当接しない位置に退避する請求項２に記載の記録装置。
【請求項５】
前記センサレバーは移動する前記保持部材に当接してシートと当接しない位置に移動する請求項４に記載の記録装置。
【請求項６】
前記シート検知手段は、前記センサレバーがシートと当接しない位置に退避したことを検知することによって、前記保持部材の移動を検知する請求項４または請求項５に記載の記録装置。
【請求項７】
シートを積載する積載部と、前記積載部に積載されたシートを給送する給送手段と、前記給送手段によって給送されたシートを前記両面搬送パスに導く給送パスとを有する請求項１に記載の記録装置。
【請求項８】
前記積載部は前記両面搬送パスの下方に配置されている請求項７に記載の記録装置。
【請求項９】
前記保持部材は前記両面搬送パスに囲まれた位置に配置されている請求項１に記載の記録装置。
【発明の詳細な説明】
【技術分野】
【０００１】
本発明は、ＣＤ、ＤＶＤなどのディスク状記録媒体に画像印刷が可能なインクジェット記録装置に関するものである。
【背景技術】
【０００２】
従来、ＣＤ、ＤＶＤなどのディスク状記録媒体に画像印刷が可能なインクジェット記録装置として、特許文献１に記載されたものがある。特許文献１に開示された記録装置では、ＣＤ、ＤＶＤ用の搬送トレイは、非使用時に搬送ローラの上流部分に格納されている。ディスク状記録媒体に印刷する時は、搬送トレイが装置本体の前側に搬送されて出てくる。そして、ディスク状記録媒体を搬送トレイにセットすると、記録装置は搬送トレイを引き込み、搬送しながらディスク状記録媒体に印刷を行う。印刷終了後は、搬送トレイは装置本体の前側に搬送されて出てくる。【０００３】
次のディスク状記録媒体の印字を行う場合は、記録メディアをユーザ操作で交換し、同じ動作を繰り返す。また終了する場合は、ディスク状記録媒体をユーザ操作で取り出し、搬送トレイを本体動作で、装置本体内に引き込み、前記搬送ローラの上流位置の搬送トレイの格納位置まで搬送し動作を終了する。【０００４】
特許文献１に開示される記録装置では装置本体の記録部の背後にディスク状記録媒体用の搬送トレイの格納のための専用のスペースが設けられていた。また、搬送トレイに設けられたラックと該ラックに噛み合う本体側のピニオンギアによって搬送トレイを記録部の背後から装置の全面にまで搬送するために比較的に長いラックが必要であった。そのために搬送トレイ自体が長くなり、搬送トレイの収納のためのスペースを確保するために、本体の奥行が大きくなり、装置本体のコンパクト化の妨げになっていた。
【先行技術文献】
【特許文献】
【０００５】
【特許文献１】特開２００５−７４９０５号公報
【発明の概要】
【発明が解決しようとする課題】
【０００６】
本発明は、ディスク状記録媒体の搬送のためにディスク状記録媒体を保持する保持部材を記録装置内に収納できるコンパクトな記録装置を提供することを目的とする。
【課題を解決するための手段】
【０００７】
上記目的を達成する本発明の構成は、シートを搬送する搬送手段と、前記搬送手段によって搬送されるシートに記録を行う記録手段と、第１の面に記録が行われたシートの前記第１の面と反対側の第２の面に記録を行うために、前記記録手段によって第１の面に記録が行われたシートを案内し、表裏を反転させて前記搬送手段に案内する両面搬送パスと、ディスク状記録媒体を保持する保持部材を収納する保持部材収納部と、前記搬送手段によって前記保持部材を搬送するために、前記保持部材を前記搬送手段によって搬送可能な位置に移動させる移動手段と、前記搬送手段によって搬送されている第１の面に記録が行われたシートを前記両面搬送パスに案内する案内位置と、シートを前記両面搬送パスに案内しない位置とに移動可能な案内面と、を有し、前記案内面は前記移動手段によって前記保持部材を移動させることによって移動する記録装置である。
【発明の効果】
【０００８】
本発明は、ディスク状記録媒体の搬送のためにディスク状記録媒体を保持する保持部材を記録装置内に収納できるコンパクトな記録装置を提供することを目的とする。
【図面の簡単な説明】
【０００９】
【図１】本発明の第１の実施形態である記録装置の概略断面図。
【図２】記録装置の動作を説明するための概略断面図。
【図３】搬送トレイの移動手段を示す図。
【図４】記録装置の制御回路を示す図。
【図５】記録動作を説明するための図。
【図６】記録動作を説明するための図。
【図７】ディスク状記録媒体に記録を行うときの動作を説明するための図。
【図８】ディスク状記録媒体に記録を行うときの動作を説明するための図。
【図９】ディスク状記録媒体に記録を行うときの動作を説明するための図。
【図１０】本発明の第２の実施形態である記録装置の概略断面図。
【発明を実施するための形態】
【００１０】
図１を用いて、本発明の第１の実施形態である記録装置の各部の機能について説明する。
【００１１】
記録シートＰは、本体底部の積載部１１に積載され、積載された記録シートＰは、給送手段である給紙ローラ１０によって、１枚ずつ矢印Ａ方向へと搬送される。記録シートＰは、給送パスを形成する搬送ガイド１４、１５にガイドされ、中間搬送ローラ１８へと導かれる。１９は中間搬送ローラ１８と協働して記録シートＰを挟持するピンチローラである。
【００１２】
中間搬送ローラ１８によって搬送された記録シートＰは、搬送ガイド２０、２１にガイドされ、搬送ローラ対３へと導かれる。６は記録シートＰを搬送ローラ３に押圧するピンチローラである。搬送ローラ３の上流には、センサ２２とセンサレバー２３を備え、記録シートＰを検出するシート検知手段が設けられている。センサレバー２３は移動する記録シートＰと当接して揺動する。センサレバー２３は軸２３ａによって揺動可能に支持されている。センサ２２は発光素子と該発行素子の光を検知する受光素子を備え、記録シートＰを検知していないときはセンサレバー２３の上端が発光素子の光路を塞いでいて受光素子は光を検知しない。搬送される記録シートＰがセンサレバー２３と当接してこれを揺動させると、センサレバー２３の上端が発光素子の光路から退き、受光素子が発行素子の光を検知することによって記録シートＰの先端の通過が検知される。
【００１３】
搬送ローラ３の上流には、両面記録を行うために記録済みの記録シートＰを記録部から再度記録部に搬送するための両面搬送パスが設けられている。両面搬送パスは両面搬送ガイド１７、搬送ガイド１４、１５、１６、２０、２１より構成される。すなわち積載部１１から給紙ローラによって送り出された記録シートを案内する給送パスは両面搬送パスに合流している。
【００１４】
両面記録を行う場合は、記録シートＰの第１の面である表面に記録が行われた後に搬送ローラ３によって記録シートＰを逆方向に搬送し、記録シートの表裏を反転させる両面搬送パスに案内する。逆方向に搬送された記録シートＰは、後述するようにディスク状記録媒体用の搬送トレイ２５によって両面搬送パスに案内される。両面搬送パスにおいて記録シートは、両面搬送ガイド１７にガイドされて、両面搬送ローラ１２へと導かれる。１３は両面搬送ローラ１２と協働して記録シートＰを挟持するピンチローラである。両面搬送ローラ１２の搬送により記録シートＰは、紙ガイド１４、１６にガイドされて、中間搬送ローラ１８によって搬送され、搬送ガイド２０、２１に案内され、両面搬送パスを通過して搬送ローラ３に再び到達する。両面搬送パスを通過したことにより記録シートは第１の面と反対側の第２の面が記録ヘッド１に対向するようになる。
【００１５】
次に、記録部について説明する。記録部には、記録ヘッド１と、記録ヘッド１に対向する位置において記録シートＰを支持するプラテン２が配置されている。記録シートＰは搬送ローラ３によって所定量づつ間欠的に搬送される。搬送の合間の記録シートＰが停止しているときに、記録ヘッド１は記録シートの搬送方向に直行する方向に移動しながらインクを吐出して搬送方向に所定幅の記録を行う。
【００１６】
記録部の下流部には、第２排紙ローラ５と第１排紙ローラ４が配置されている。７、８はそれぞれ記録シートＰを第２排紙ローラ５と第１排紙ローラ４に押圧する拍車型のピンチローラである。第２排紙ローラ５と第１排紙ローラ対は記録シートＰの記録時の搬送と、排出搬送を行う。排出された記録シートＰは、排紙トレイ９に排出される。
【００１７】
次にＣＤ、ＤＶＤ用の搬送トレイ２５について説明する。ＣＤやＤＶＤなどの樹脂製のディスク状記録媒体に印刷を行うときは、ディスク状記録媒体を保持部材に保持させる。そしてディスク状記録媒体を保持した保持部材を記録シート用の搬送ローラによってすることによって、ディスク状記録媒体を搬送する。ディスク状記録媒体の保持部材としての搬送トレイ２５は、両面搬送パスに囲まれた部位配置された保持部材収納部に格納されている。搬送トレイ２５は、両面搬送パスに囲まれた位置に配置された搬送トレイガイド２４上に移動可能に配置されている。図３に示すように、搬送トレイ２５の側端部にはラック２５Ｃが形成されている。ラック２５Ｃにはピニオンギア３２が選択的に噛み合う。ピニオンギア３２を駆動源であるモータによってＰ方向に回転駆動すると、ピニオンギア３２はラック２５と噛み合って搬送トレイ２５を矢印Ｉ方向に移動させる。移動手段であるラック２５Ｃ、ピニオンギア３２、モータによって搬送トレイ２５が搬送ローラによって搬送可能な位置に移動されると、搬送トレイ２５は搬送ローラ３とピンチローラ６によって挟持され、搬送ローラ３によって搬送される。
【００１８】
搬送トレイ２５の後端の両角部には搬送トレイ２５の搬送を補助するための搬送補助部材２６が設けられている。搬送トレイ２５の矢印Ｉ方向の搬送に伴い、搬送補助部材２６は不図示のガイド機構によって、折りたたみ状態から、相互に交差しながらそれぞれ矢印Ｑ、Ｒ方向に回動する。補助搬トレイ２６は、最終的には９０°回転し、図７（ｂ）に示す搬送方向と平行に延びた状態になり搬送が行われる。
【００１９】
図４は記録装置の制御回路を示す。制御手段である制御部３００にはＣＰＵ３１０、プログラムや固定データを格納したＲＯＭ３１１、画像データを展開する領域や作業用の領域等を設けたＲＡＭ３１２が備えられている。
【００２０】
３２１は搬送ローラ３を駆動する搬送モータ、３２２は走査のために記録ヘッド１を移動するキャリッジモータ、３２３は搬送トレイ２５を移動するピニオンギア３２を駆動するピニオンモータである。また制御部は上述した各種モータや記録ヘッド１を駆動するためのドライバも備えている。
【００２１】
次に、記録動作について説明する。図１において、給紙積載部１１に積載された記録シートＰは、給紙ローラ１０によって、１枚ずつ矢印Ａ方向へと搬送される。記録シートＰは紙搬送ガイド１４、１５、１６によって中間搬送ローラ１８に導かれ、さらに紙搬送ガイド２０、２１によって矢印Ｂ方向にガイドされて搬送ローラ対３、６へと導かれる。次に図２に示すように、搬送ローラ対３により記録部に搬送される。この時、記録シートＰはセンサレバー２３を矢印Ｈ方向に回動させ、センサレバー２３上端のセンサ検知部が矢印Ｏ方向に回動してセンサ２２によって記録シートＰが検知される。
【００２２】
記録シートＰは搬送ローラ３によって矢印Ｃ方向に所定距離づつ搬送され、搬送の合間の停止中には記録ヘッド１が移動しながらインクを吐出して所定幅の記録を行う。搬送ローラ３による搬送と記録ヘッド１による記録が交互に行われて記録シートＰに画像が形成される。
【００２３】
記録シートＰが進行してゆくと、第２排紙ローラ５、第１排紙ローラ４も搬送に関与するようになる。やがて、記録シートＰの後端部Ｐｅが搬送ローラ３とピンチローラ６のニップを通過し、表面の記録が終了する。記録シートＰの表面のみの記録の場合は、このまま第２排紙ローラ５、第１排紙ローラ４によって記録シートＰは排紙トレイ９に排出される。
【００２４】
次に両面に記録を行う場合について説明する。第１面（表面）の記録については上述したとおりである。両面記録の場合、第１面の記録が終了したら記録シートＰを排出せずに、第２排紙ローラ５、第１排紙ローラ４と各ピンチローラ８、７によって記録シートＰを挟持した状態で搬送を一旦停止する。
【００２５】
次にピニオンモータ３２３を駆動することによって、図５（ａ）に示すように搬送トレイ２５を矢印Ｄ方向に移動し、第２面（裏面）の記録のための逆方向搬送の紙ガイドを行う位置で停止する。この動作で、搬送トレイ２５はセンサレバー２３と当接してセンサレバー２３を矢印Ｈ方向に回動する。センサレバー２３の上端部のセンサ検出部は矢印Ｏ方向に回動し、センサ２２によって搬送トレイ２５が案内位置である両面ガイド位置に移動したことが検知される。本実施形態では両面記録のために記録シートＰを逆方向に搬送することを可能とするためにセンサレバー２３を上方に退避させる機構を必要としない。さらに、記録シートの検知と、搬送トレイ２５の両面ガイド位置への移動の検知を共通のセンサで行うためにコストダウンと装置の簡略化が可能となる。
【００２６】
次に図５（ｂ）に示すように第２排紙ローラ５、第１排紙ローラ４、搬送ローラ３によって、記録シートＰを逆方向の矢印Ｅ方向に搬送する。逆方向に搬送される記録シートＰの先端部Ｐｆは、搬送トレイ２５の先端に形成された案内面である傾斜面２５Ａにガイドされて両面搬送ガイド１７に沿って矢印Ｆ方向に搬送される。さらに、図５（ｃ）に示すように、記録シートＰは両面搬送パスの両面搬送ローラ１２、給送パスの中間搬送ローラ１８によって矢印Ｂ方向に搬送される。
【００２７】
記録シートＰの後端部Ｐｅが搬送ローラ３を通過し、記録シートＰの先端部Ｐｆが搬送トレイ２５に到達する直前まで進行した時に、両面搬送ローラ１２、中間搬送ローラ１８の駆動を停止する。
【００２８】
次に図６（ａ）に示すように、搬送トレイ２５を矢印Ｇ方向に移動させ、格納ポジションで停止させる。この時、搬送トレイ２５はセンサレバー２３から離間する。センサレバー２３の先端側は矢印Ｐ方向に回動し、センサレバー２３の検出部は矢印Ｑ方向に回動する。センサ２２によって、搬送トレイ２５が両面搬送の紙搬送ガイドポジションから移動したことが検出される。同時に搬送トレイ２５が、給送パスから搬送ローラ３への通路を塞ぐ位置から退避するので、給送パスから搬送ローラ３への記録シートＰの搬送が可能になる。
【００２９】
次に図６（ｂ）に示すように、両面搬送ローラ１２、給送パスの中間搬送ローラ１８によって記録シートＰを矢印Ｂ方向に搬送する。記録シートＰはセンサレバー２３を揺動させてセンサ２２はシート先端Ｐｆの通過を検知する。シート先端Ｐｆの検知に基づいて頭出しが行われ、次いで記録シートＰの裏面（第２面）に記録が行われる。裏面の記録が終了した後は、記録シートＰは、排紙トレイ９上に排出され両面印刷が完了する。
【００３０】
次に、ディスク状記録媒体の印刷時の動作について説明する。
【００３１】
ディスク状記録媒体に印刷を行う指令を受けると、ピニオンモータ３２３によってピニオンギア３２が図３のＰ方向に回転し、搬送トレイ２５はＩ方向に移動する。搬送トレイ２５は両面搬送パスの内側の空間内に格納されている待機位置（図１）から、搬送トレイガイド２４上にガイドされて搬送ローラ３まで移動する。この時、搬送トレイ２５の後端両角部に回動可能に設けられた搬送補助部材２６は不図示のガイド機構によって回動され、折り畳まれた状態から図３に示すようにそれぞれＱ方向およびＲ方向に回動する。さらに、搬送トレイ２５は搬送ローラ３とピンチローラ６によって挟持され、図７（ａ）のＩ方向に搬送される。このときピニオンギア３２はラック２５Ｃから離間する。そして、搬送補助部材２６は搬送方向と平行な方向に延びた状態になる。図７（ｂ）に示されるように、搬送トレイ２５が搬送ローラ３を通過した後には搬送補助部材２６を搬送ローラ３とピンチローラ６が挟持して搬送することによって搬送トレイ２５を移動させる。また、第２排紙ローラ５に対して、従動ローラ８が矢印Ｒ方向に退避し、同様に、第１排紙ローラ４に対して、従動ローラ７を矢印Ｒ方向に退避する。よって、従動ローラ７、８は、先端が尖った突起を周面に有する拍車形状の構成でも良い。搬送補助部材２６が搬送ローラ３とピンチローラ６によって挟持された状態で、搬送トレイ２５は第１排紙ローラ５を通過して本体前面のユーザセット位置まで移動する。搬送トレイ２５は、矢印Ｉ方向に搬送され装置本体の前側のディスク状記録媒体のセットポジションで停止する。図７（ｂ）は、搬送トレイ２５がディスク状記録媒体のセット位置で停止した状態を本体前側からみた斜視図である。
【００３２】
次に、セット位置で停止している搬送トレイ２５の記録メディアセット用の円形の凹部２５Ｂに、ディスク状記録媒体２７をセットする。図８（ｂ）のようにディスク状記録媒体２７のセットが終了したら、ディスク状記録媒体への印刷を開始する。
【００３３】
搬送ローラ対３が図８（ａ）の反時計回り方向に回転すると搬送補助部材２６とともに搬送トレイ２５が矢印Ｊ方向に搬送される。搬送トレイ２５はその一部が、図９に示すように両面搬送パスに囲まれた領域に入り込むように搬送され、ディスク状記録媒体２７の印字開始位置で停止する。
【００３４】
次に搬送ローラ３が時計回り方向に回転し、搬送トレイ２５は記録部を通過するように矢印Ｉ方向に搬送される。搬送トレイ２５にセットされた記録メディアには記録ヘッド１によって記録が行われる。記録が終了すると搬送トレイ２５は図８（ａ）、図８（ｂ）の位置で停止する。この時、次のディスク状記録媒体２７に印字を行う場合は、ディスク状記録媒体２７を交換し、同じ動作を繰り返す。印字を終了する場合は、ディスク状記録媒体２７を取り除き、搬送ローラ３によって再び、搬送トレイ２５を矢印Ｊ方向に搬送する。搬送トレイ２５が搬送ローラ３を通過したらピニオンギア３２をラック２５ｃと噛み合う位置に移動させ、ピニオンギア３２を回転させることによってさらに搬送トレイ２５を矢印Ｊ方向に搬送する。搬送トレイ２５が図１に示す格納ポジションまで移動したら記録動作が終了となる。
【００３５】
本実施形態では、搬送トレイ２５が両面搬送パスに囲まれた領域に収納されることにより、ディスク状記録媒体印刷と両面印刷が可能な記録装置が小型化できる。両面搬送パスに囲まれた領域をデッドスペースにすることなく有効に活用できる。
【００３６】
（第２の実施形態）
第１の実施形態では、両面搬送パスに囲まれた領域に収納された搬送トレイ２５の先端部分２５Ａを、両面搬送パスに記録シートを案内する搬送紙ガイドとして用いた。第２の実施形態では、記録シートを案内する搬送紙ガイドを設け、搬送トレイ２５を移動させることによって、前記搬送紙ガイドを移動させる。
【００３７】
図１０は本発明の第２の実施形態である記録装置を示す。第１の実施形態と同様の構成については説明を省略する。図１０（ａ）において、案内部材である紙ガイドフラッパ２８は軸２８ａによって第１の位置と第２の位置とに揺動可能に軸支されている。図１０（ａ）では紙ガイドフラッパ２８は、第１の位置である給紙案内位置に位置する。給紙積載部１１に積載され、給紙ローラ１０によって給送された記録シートは搬送ガイド１５、１６によって案内され、中間搬送ローラ１８によって搬送される。さらに、搬送ガイド２０、２１によって案内され、給紙案内位置にある紙ガイドフラッパ２８の上面によって搬送ローラ３に案内される。そして搬送ローラ３によって搬送されながら記録ヘッド１によって記録が行われる。
【００３８】
第１面の記録終了後に両面記録を行う場合は、ピニオンギア３２を回転させて搬送トレイ２５を図１０（ｂ）の矢印Ｄ方向に移動させる。紙ガイドフラッパ２８は移動する搬送トレイに押し上げられて矢印Ｋ方向に回動する。回動する紙ガイドフラッパ２８はセンサレバー２３と当接してこれを矢印Ｈ方向に回動させる。センサレバー２３の上端の矢印Ｄ方向に回動し、センサ２２によって紙ガイドフラッパ２８が第２の位置である両面搬送位置に移動したことが検知される。
【００３９】
第１面の記録が終了した記録シートＰは第１排紙ローラ４、第２排紙ローラ５、搬送ローラ３によって矢印Ｍ方向に搬送され、案内面である紙ガイドフラッパ２８の下側の面によって両面搬送ガイド１７に案内される。記録シートはさらに両面搬送ローラ１２によって搬送ガイド１５、に搬送される。それ以降は第１面の記録と同様に第２面の記録が行われる。
【００４０】
（第３の実施形態）
第１の実施形態では、記録前の記録シートは両面搬送パスの下方で記録装置の底部に積載されていた。本発明は両面搬送パスの上方に記録シートの積載部を設け、そこから記録シートを給送して記録を行うタイプの記録装置にも適用できる。さらに記録シートの積載部を記録装置の低部と両面搬送パスの上方の両方に設けた記録装置にも本発明は適用できる。
【符号の説明】
【００４１】
１  記録ヘッド
３  搬送ローラ
１２  両面搬送ローラ
１４  搬送ガイド
１５  搬送ガイド
１６  搬送ガイド
１７  両面搬送ガイド
１８  中間搬送ローラ
２０  紙ガイド
２１  紙ガイド
２２  センサ
２３  センサレバー
２４  搬送トレイガイド
２５  搬送トレイ
２６  搬送補助部材
２７  ディスク状記録メディア
２８  紙ガイドフラッパ
２９  搬送トレイガイド
３０  搬送トレイ
【図１】
0005539393.tif 000002
【図２】
0005539393.tif 000003
【図３】
0005539393.tif 000004
【図４】
0005539393.tif 000005
【図５】
0005539393.tif 000006
【図６】
0005539393.tif 000007
【図７】
0005539393.tif 000008
【図８】
0005539393.tif 000009
【図９】
0005539393.tif 000010
【図１０】
0005539393.tif 000011